(57)【特許請求の範囲】
【請求項１】
少なくとも、
着用者の少なくとも臀部を覆う胴部と、
着用者の左右の脚部を別々に覆うタイツ部とを有しており、
上記胴部とタイツ部とが、互いに連続して形成され、且つ、ともに弾力性を有するゴム又は合成樹脂のシートから形成されており、
上記胴部の前部及び後部並びにタイツ部の後部が、軟質シートから形成されており、
上記胴部の側部並びにタイツ部の前部及び外側側部が、上記軟質シートより硬度及び密度の高いシートから形成されており、
上記タイツ部が、着用者の膝頭対応部分より下部のタイツ下部と、タイツ下部より上部のタイツ上部とを有しており、
上記タイツ下部の前部が、上記胴部の側部、タイツ部の外側側部、及び、タイツ上部の前部の各シートより、硬度及び密度の高いシートから形成されている履き物。    
【請求項２】
上記胴部及びタイツ部の各表裏両面に積層されたジャージー層を備えており、
上記胴部の上端近傍において、その裏面に上記ジャージー層が積層されていないシート露出面部が形成されている請求項１に記載の履き物。
【請求項３】
上記シート露出面部の面となるシートの表面に凹凸が形成されている請求項２に記載の履き物。
【発明の詳細な説明】
【技術分野】
【０００１】
本発明は、水中歩行に好適であり、例えば、鮎釣り等の釣りを楽しむ際にも用いられうる、主に人の下半身用の履き物に関する。
【背景技術】
【０００２】
「ウェイダー」と称される履き物が、釣り等を行う人に重宝されている。ウェイダーは水中を歩くときに便利な履き物である。このウェイダーは、釣り人の腹部及び臀部を覆う胴部と、左右両足を覆うタイツ部分とを含んでいるものが多い。胴部とタイツ部とは連続している。タイツ部の下端に、釣り人の足先を収容するソックス部又はブーツ部が連続して形成されたウェイダーも多用されている。タイツ部は、例えば独立気泡発泡体クロロプレンゴム、防水加工が施されたゴム部材等から形成され、ソックス部は、例えば独立気泡発泡体クロロプレンゴム、ゴム部材の表面にナイロン樹脂等が張り合わされた部材等から形成される。タイツ部のうち、膝部、脛部、足首部に対応する部分には保護用パッドが、縫い付けられるか、又は、型押し成型される。このようなウェイダーは、例えば、特開平９−１８７３０１号公報、特開平１０−２３４４０３号公報、特開平１１−１５８７１１号公報等に開示されている。
【０００３】
一方、片足ずつ独立して形成された長靴型のウェイダーも知られている。このウェイダーは足先、脛部、太もも部を覆う。このウェイダーにおいては、膝から下の部分が例えばネオプレン（登録商標）スポンジ等から形成される。膝から上の部分にはゴアテックス（登録商標）が用いられる。これらのウェイダーも、その膝頭対応部分に保護用パッドが設けられている。このようなウェイダーは、例えば、特開２００１−３５３００１公報、特開２００２−１７４０２公報等に開示されている。
【０００４】
風が強いとき、水流のある川の中等においては、人に着用されている状態の上記ウェイダーの表面には強い摩擦力等が作用する。伸縮性のある柔らかい素材から形成されたウェイダーでは、強風や水流によって引っ張られ、バタバタと振動するおそれがある。かかる事態を回避するために、ウェイダーが、伸縮性が小さく比較的硬い素材から形成された場合、着用者の自由且つ軽快な動きが阻害されるおそれがある。前述した従来のウェイダーでは、かかる事態の回避は期待薄である。
【先行技術文献】
【特許文献】
【０００５】
【特許文献１】特開平９−１８７３０１号公報
【特許文献２】特開平１０−２３４４０３号公報
【特許文献３】特開平１１−１５８７１１号公報
【特許文献４】特開２００１−３５３００１公報
【特許文献５】特開２００２−１７４０２公報
【発明の概要】
【発明が解決しようとする課題】
【０００６】
本発明は、使用時の水流の影響及び強風の影響が少なく、着用者の自由且つ軽快な動きを阻害されにくい履き物を提供することを目的としている。
【課題を解決するための手段】
【０００７】
本発明に係る履き物は、
少なくとも、
着用者の少なくとも臀部を覆う胴部と、
着用者の左右の脚部を別々に覆うタイツ部とを有しており、
上記胴部とタイツ部とが、互いに連続して形成され、且つ、ともに弾力性を有するゴム又は合成樹脂のシートから形成されており、
上記胴部の前部及び後部並びにタイツ部の後部が、軟質シートから形成されており、
上記胴部の側部並びにタイツ部の前部及び外側側部が、上記軟質シートより硬度及び密度の高いシートから形成されている。
【０００８】
この履き物によれば、その後部が軟質シートから形成されているので、着用者は、水中等において前屈や歩行を容易に行うことができる。また、水流や強風によって振動しやすい胴部の側部及びタイツ部の側部が強化される。上記胴部は、着用者の腹部や胸部を覆うものであってもよい。
【０００９】
上記タイツ部が、着用者の膝頭対応部分より下部のタイツ下部と、タイツ下部より上部のタイツ上部とを有し、上記タイツ下部の前部が、上記胴部の側部、タイツ部の外側側部、及び、タイツ上部の前部の各シートより、硬度及び密度の高いシートから形成されているのが好ましい。歩行時等において、障害物に接触しやすいタイツ下部の前部が効果的に保護されるからである。
【００１０】
上記胴部及びタイツ部の各表裏両面に積層されたジャージー層を備えており、上記胴部の上端近傍において、その裏面に上記ジャージー層が積層されていないシート露出面部が形成されているのが好ましい。着用者の胴の周囲に、上記シート露出面部（ゴム又は合成樹脂が露出している面）が密着するため、効果的な滑り止めがなされるからである。
【００１１】
上記滑り止め効果の向上の観点から、上記シート露出面部の面となるシートの表面に、凹凸が形成されるのが好ましい。
【発明の効果】
【００１２】
本発明に係る履き物は、使用時の水流の影響及び強風の影響が少なく、着用者の自由且つ軽快な動きを阻害することが抑制される。
【図面の簡単な説明】
【００１３】
【図１】図１は、本発明に係る履き物の一実施形態を斜め前から見た斜視図である。
【図２】図２は、図１の履き物を斜め後から見た斜視図である。
【図３】図３は、図１の履き物の正面図である。
【図４】図４は、図１の履き物の背面図である。
【図５】図５は、図１の履き物の前部の裏面の一部を示す図である。
【発明を実施するための形態】
【００１４】
以下、適宜図面が参照されつつ、好ましい実施形態に基づいて本発明が詳細に説明される。
【００１５】
図１から図４に示された履き物１は、釣り人等が使用するウェイダーである。ウェイダー１は水中等を歩くときに便利な履き物である。ウェイダー１は、弾力性を有するゴム又は合成樹脂のシートから形成される。本実施形態のウェイダー１は、その全体が、基本的に、ポリクロロプレンを基材ゴムとする独立気泡発泡体のシートから形成されている。このクロロプレンゴムシートの表裏両面（ウェイダー１の内外両面）のほぼ全面にはジャー
ジー層が積層されている。ジャージー層は、ナイロン繊維、ポリエステル繊維、ナイロン繊維とポリウレタン繊維との混紡等が採用されている。ジャージー層はかかる材質には限定されない。上記シートの基材としては、ポリクロロプレンゴムには限定されず、例えば、ＳＢＲ（スチレン・ブタジエンゴム）、ＳＣＲ（スチレン・クロロプレンゴム）、ＳＣＭ（クロロスルホン化ポリエチレン）等が採用されうる。
【００１６】
ウェイダー１は、着用者の腹部及び臀部を覆う胴部２と、着用者の左右の脚部を別々に覆うタイツ部３とを有している。「腹部及び臀部を覆う」とは、腹部の前後及び左右両側部の全周、並びに、臀部の前後及び左右両側部の全周を覆うことを意味する。胴部２には、その前部の上端から下方に向けて切り裂かれた開放部４が形成されている。この開放部４は、ファスナー５が取り付けられることにより、開閉可能にされている。図示されていないが、胴部２の上端に、着用者の肩から吊り下げるための肩紐が装備されていてもよい。胴部２の上下方向長さは限定されない。胴部２は、例えば、臀部のみを覆う長さであってもよく、臀部、腹部及び胸部を覆う長さであってもよい。
【００１７】
タイツ部３は、左脚部６と右脚部７とに二股に分かれている。左脚部６は、着用者の膝頭対応部分より下部の左脚下部６Ｌ、及び、この左脚下部６Ｌより上部の左脚上部６Ｕを有している。右脚部７は、着用者の膝頭対応部分より下部の右脚下部７Ｌ、及び、この右脚下部７Ｌより上部の右脚上部７Ｕを有している。左脚下部６Ｌ及び右脚下部７Ｌをまとめてタイツ下部３Ｌとも呼ぶ。左脚上部６Ｕ及び右脚上部７Ｕをまとめてタイツ上部３Ｕとも呼ぶ。
【００１８】
左右両脚部６、７それぞれの下端から上方に向けて切り裂かれた開放部８が形成されている。この開放部８は、ファスナー９が取り付けられることにより、開閉可能にされている。左右両脚部６、７それぞれの下端には、この下端の周縁を着用者の足首に締め付けるためのベルト１０が設けられている。図示されていないが、左右の各脚部６、７の下端に、ソックス部又はブーツ部が接続されていてもよい。
【００１９】
図５に示されるように、胴部２の上端近傍において、その裏面に上記ジャージー層１１が積層されていないシート露出面部１２が形成されている。図５は、ウェイダー１の前部の裏面の一部を示したものである。このシート露出面部１２の表面は、上記クロロプレンゴムシート１３の表面が露出した面となっている。このクロロプレンゴムシート１３の表面にはエンボス加工によって細かい凹凸１４が形成されている。この凹凸１４は、クロロプレンゴムシート１３を成型するための金型の内面に形成されている凹凸が転写されたものである。上記クロロプレンゴムシート１３は、金型によって成型された厚い親シートが複数枚の薄いシートにスライスされたものである。上記凹凸１４を有するシート１３は、上記複数枚の薄いシートのうち、金型の凹凸を有する内面に接していた面を有するシートである。クロロプレンゴムシート１３の表面は、ジャージー層１１の表面に比べると、摩擦係数が大きい。細かい凹凸１４が形成されたクロロプレンゴムシート１３の表面は、さらに摩擦係数が大きくなる。このシート露出面部１２が着用者の胴部の周囲に密着するので、ウェイダー１の上部が着用者の身体からずり下がることが抑制される。
【００２０】
図５に示されるように、胴部２の開放部４におけるファスナー５の内方には、カバーシート部１５が設けられている。このカバーシート部１５は、ファスナー５が着用者の身体に接触することを防止するためのものである。カバーシート部１５は、ファスナー５の全長にわたって裏側（ウェイダー１の内側）から覆っている。このカバーシート部１５の裏面（着用者の身体に対向する面）も、ジャージー層１１が積層されていないシート露出面部１６とされている。このシート露出面部１６の表面にもエンボス加工によって細かい凹凸１７が形成されている。このシート露出面部１６が着用者の腹部に密着することにより、ウェイダー１の上部が着用者の身体からずり下がることが抑制される。
【００２１】
図１から図４に示されるように、このウェイダー１は、異なる形状の複数のクロロプレンゴムシート片が縫合されることによって形成されている。複数のクロロプレンゴムシート片は、ウェイダー１の縦方向中心線ＣＬについて左右対称に配置されている。中心線ＣＬ上に配置されたクロロプレンゴムシート片は、左右対称の形状を有している。
【００２２】
以下、図３及び図４を参照しながら、クロロプレンゴムシート片（以下、単にシート片ともいう）の配置が説明される。ウェイダー１の部位に応じて、その部位のシート片として、軟質シートＳ、硬質シートＨ、又は、硬質シートよりさらに硬度及び密度が高められた超硬質シートＨＨが採用されうる。図３及び図４においては、理解容易のために、超硬質シートＨＨの部位はチェックによって示され、硬質シートＨの部位は平行線のみのハッチングで示され、軟質シートＳの部位は無地で示されている。軟質シートＳに較べると、硬質シートＨは、強靱であるが伸びが少なく且つ硬い。超硬質シートＨＨはさらに強靱であり、伸びが少なく且つ硬い。
【００２３】
軟質シートＳが採用されているのは、胴部２の上端近傍の第一シート片２１Ｓ、胴部２の前部からタイツ上部３Ｕの内側前部にかけての第二シート片２２Ｓ、胴部２の後部からタイツ上部３Ｕの後部にかけての第三シート片２３Ｓ、タイツ上部３Ｕの内側の左右両側部の第四シート片２４Ｓ、及び、タイツ下部３Ｌの後部の第五シート片２５Ｓである。硬質シートＨが採用されているのは、胴部２の左右両側部からタイツ上部３Ｕの側部及び前部にかけての第六シート片２６Ｈ、タイツ下部３Ｌの外側の左右両側部の第七シート片２７Ｈ、及び、タイツ下部３Ｌの内側の左右両側部の第八シート片２８Ｈである。超硬質シートＨＨが採用されているのは、上記タイツ下部３Ｌの前部の第九シート片２９ＨＨである。
【００２４】
上記軟質シートＳとしては、その密度が０．１５ｇ／ｃｍ３  以下であるのが好ましく、そのＨＳのＣタイプ硬度 （アスカーＣ型硬度）が１以上３以下であるのが好ましい。硬質シートＨとしては、その密度が０．１５ｇ／ｃｍ３  を超えて０．１９ｇ／ｃｍ３  以下であるのが好ましく、そのＨＳＣ硬度が４以上６以下であるのが好ましい。超硬質シートＨＨとしては、その密度が０．１９ｇ／ｃｍ３  を超えて０．３１ｇ／ｃｍ３  以下であるのが好ましく、そのＨＳＣ硬度が８以上１２以下であるのが好ましい。シートの密度は、クロロプレンゴムの添加物配合と発泡倍率とを調節することにより変化させられる。
【００２５】
ウェイダー１が水の抵抗を大きく且つ頻繁に受けるのは、着用者が水中を移動するときである。このとき、ウェイダー１のタイツ部３の前部には、水、浮遊物、水草、砂、砂利等が衝突する。また、タイツ部３の側部は、通過していく上記水等に擦られるとともに、バタバタと振動させられる。水深の深いところでは、胴部２も同様な状況におかれる。このため、タイツ部３の前部及び側部、並びに、胴部の側部の第六、第七、第八の各シート片２６Ｈ、２７Ｈ、２８Ｈとして硬質シートＨが用いられている。特に、タイツ下部３Ｌの前部は、小石や岩に当たる可能性が高い。従って、タイツ下部３Ｌの前部の第九シート片２９Ｈとしては超硬質シートＨＨが用いられている。
【００２６】
一方、ウェイダー１の後部は、前部及び側部に較べて水流、浮遊物等の影響は少ない。さらに、ウェイダー１の後部は、着用者の前屈や着座に伴って伸ばされることが多い。従って、胴部２の後部からタイツ上部３Ｕの後部にかけての第三シート片２３Ｓ、及び、タイツ下部３Ｌの後部の第五シート片２５Ｓには軟質シートＳが用いられている。タイツ上部３Ｕの内側の左右両側部は、着用者の内股の上部に相当する。この部位は、水流、浮遊物等の影響は少ない。一方、この部位は、着用者の歩行に伴って伸び縮みする頻度が高い。従って、この部位の第四シート片２４Ｓにも、軟質シートＳが用いられている。胴部２の前部は、水中に埋没する機会は少ない。また、胴部２の前部の構成は、胴部２の後部の構成とともに、着用者の上半身の絶え間ない動きを阻害しないように配慮されるべきである。タイツ上部３Ｕの内側前部も、着用者の歩行に伴って伸び縮みする頻度が高い。以上の理由から、胴部２の前部からタイツ上部３Ｕの内側前部にかけての第二シート片２２Ｓには軟質シートＳが用いられている。胴部２の上端近傍は、水流、浮遊物等の影響は極めて少ない。この部位は着用者の胴の周囲に密着するのが好ましい。かかる理由から、この部位の第一シート片２１Ｓとしても軟質シートＳが用いられている。さらに、前述のとおり、この部位にはシート露出面部１２が形成されている。
【００２７】
軟質シートＳ、硬質シートＨ及び超硬質シートＨＨの配置は上記には限定されない。着用者の身体にフィットさせる観点、及び、着脱容易の観点から、胴部２及び各脚部６、７ともに、それらの全周のうちの少なくとも一部に、軟質シートＳが用いられるのが好ましい。また、着用者の容易な歩行、前屈及び着座の観点から、胴部２の後部及びタイツ部３の後部にも軟質シートＳが用いられるのが好ましい。水流、浮遊物等による弊害防止の観点から、胴部２の側部並びにタイツ部３の前部及び外側側部が、硬質シートＨから形成されるのが好ましい。
【００２８】
軟質シートＳからなる上記第二シート片２２Ｓは、胴部２の前部からタイツ上部３Ｕの内側前部にかけて、楕円状、又は、上下逆向きの水滴状に形成されている。これは、ウェイダー１の意匠性の向上のみならず、腹部に柔軟性を施すことにより、着用者にとっての着心地の向上を図ったものである。
【００２９】
前述した各シート片に応じて、積層されるジャージー層１１の伸縮率が異なっていてもよい。例えば、直交するＸＹのいずれの軸方向にも伸縮率の大きい第一ジャージー層、ＸＹのいずれか一軸方向にのみ伸縮率が大きく、他の軸方向には伸縮率が小さい第二ジャージー層、及び、ＸＹのいずれの軸方向にも伸縮率の小さい第三ジャージー層、のうちから選択されて積層される。例えば、ウェイダー１の内面（裏面）には、その全面に伸縮率の大きい第一ジャージー層が積層されてもよい。例えば、ウェイダー１の外面には、軟質シートＳに対して第一ジャージー層が積層され、硬質シートＨに対して第二ジャージー層が積層され、超硬質シートＨＨに対して第三ジャージー層が積層されてもよい。かかる構成によれば、軟質シートＳの柔軟性を損なわず、硬質シートＨの強靱性を損なわない。上記第二ジャージー層は、伸縮率の大きい方向が縦（上下）方向となり、伸縮率の小さい方向が横方向となるように積層されるのが好ましい。これは、水流によるウェイダー１の振動の抑制、及び、着用者の身体の屈伸の容易性を考慮したものである。
【００３０】
以上説明された実施形態として、ウェイダーが例示されている。しかし、本発明の適用はウェイダーには限定されない。例えば、スキー用ウェア、アイススケート用ウェア等にも適用可能である。
【産業上の利用可能性】
【００３１】
本発明に係る履き物は、水中歩行に好適であることはもちろん、大気中においても着用されうる。特に、川、池等の水中で行われる釣りに好適である。
【符号の説明】
【００３２】
１・・・ウェイダー
２・・・胴部
３・・・タイツ部
３Ｌ・・・タイツ下部
３Ｕ・・・タイツ上部
４・・・開放部
５・・・ファスナー
６・・・左脚部
７・・・右脚部
８・・・開放部
９・・・ファスナー
１０・・・ベルト
１１・・・ジャージー層
１２・・・シート露出面部
１３・・・クロロプレンゴムシート
１４・・・凹凸
１５・・・カバーシート部
１６・・・シート露出面部
１７・・・凹凸
ＣＬ・・・（ウェイダーの）縦方向中心線
【図１】
0005818429.tif 000002
【図２】
0005818429.tif 000003
【図３】
0005818429.tif 000004
【図４】
0005818429.tif 000005
【図５】
0005818429.tif 000006